(57)【要約】【課題】強い衝撃を受けた場合でも、構成部品の離脱、飛散等を抑止できる内装部材を提供する。【解決手段】本発明の内装部材（Ｒ）は、車室内に装着される基体（１）と、基体よりも車室内側に配置されると共に基体に設けられた第一係合部（１１１、１１２）に係合する第二係合部（２１１、２１２）を有する係合体（２）とからなる。そして、第一係合部と第二係合部の少なくとも一方は熱可塑性樹脂からなり、熱可塑性樹脂からなる第一係合部と第二係合部の一方または双方が加熱され軟化または溶融した後に冷却固化されて係合した融合係合部（Ｂ１１、Ｂ１２）となる。本発明の内装部材は、そのような融合係合部によって、第一係合部と第二係合部が強固に結合されてなることを特徴とする。【選択図】図２
2014227091.tif 000002
【特許請求の範囲】
【請求項１】
車室内に装着される基体と、
該基体よりも車室内側に配置されると共に該基体に設けられた第一係合部に係合する第二係合部を有する係合体と、
からなる内装部材であって、
前記第一係合部と前記第二係合部の少なくとも一方は熱可塑性樹脂からなり、
該熱可塑性樹脂からなる該第一係合部と該第二係合部の一方または双方が少なくとも部分的に加熱され軟化または溶融した後に冷却固化されて係合した融合係合部となっていることを特徴とする内装部材。
【請求項２】
前記第一係合部と前記第二係合部は、前記加熱前に、係合する凹部と凸部の一方をそれぞれ有する請求項１に記載の内装部材。
【請求項３】
前記加熱は、超音波振動またはレーザー照射によりなされる請求項１または２に記載の内装部材。
【請求項４】
前記係合体は、前記第二係合部の表面もメッキされたメッキモールである請求項１〜３のいずれかに記載の内装部材。
【請求項５】
前記融合係合部は、前記第一係合部と前記第二係合部が溶着した溶着係合部である請求項１〜３のいずれかに記載の内装部材。
【請求項６】
前記基体は、インストルメントパネルに嵌装されるインストルメントクラスタの筐体または枠体であり、
前記係合体は、該筐体または該枠体に嵌着されるガーニッシュである請求項１〜５のいずれかに記載の内装部材。
【発明の詳細な説明】
【技術分野】
【０００１】
本発明は、強い衝撃を受けた場合でも、構成部品の離脱、飛散等を抑止できる内装部材に関する。
【背景技術】
【０００２】
一般に、自動車の運転席前方には、エアコンディショナ（空調）の吹出口（レジスタ）、その制御ユニット、各種の計器類などのインストルメントクラスタ（単に「クラスタ」という。）が、インストルメントパネル（単に「インパネ」という。）に配設されている。これらのクラスタは、係合した複数の樹脂部品から構成されていることが多い。例えば、空調用レジスタであれば、インパネの内側（裏側）に配設されるダクトの開口部に嵌着されたベゼル（枠体）と、そのベゼルの室内側（意匠面側）に嵌着されて意匠性を高めるメッキモール（ガーニッシュ）などを有し、これらは樹脂成形品からなることが多い。
【０００３】
これらの構成部品は、組付性の向上、コスト低減等の観点から、一方に設けた係合孔等へ、他方に設けた係合突起や係合爪等を嵌挿するスナップフィット方式により固定または結合されることが一般的である。そして、通常、一旦係合した後は容易に離脱しないように、係合突起や係合爪等の先端部に、係合孔の周縁等に係止する抜止め（返し等）が設けられている。
【０００４】
さらに、乗員の保護を図る観点から、事故などにより車両のインパネ部分等に大きな衝撃が加わった場合でも、車室内に配設されるクラスタ等の構成部品が容易に離脱、飛散さらには破損しないような工夫が種々なされている。その一例が下記の特許文献にある。
【先行技術文献】
【特許文献】
【０００５】
【特許文献１】特開２０００−６６８９号公報
【発明の概要】
【発明が解決しようとする課題】
【０００６】
特許文献１では、衝撃力が作用した際に折損し易い薄肉のリブを設け、衝撃時に折損したリブが係合孔の周縁部に係合することにより、空調用レジスタのインパネからの脱落を防止している。しかし、このような従来の係合方法では、より強い衝撃力が作用した場合における構成部品の係合が必ずしも十分ではない。
【０００７】
本発明はこのような事情に鑑みて為されたものであり、強い衝撃力が作用した場合でも、構成部品同士が強固に結合または接合しており、容易に離脱、飛散等しない内装部材を提供することを目的とする。
【課題を解決するための手段】
【０００８】
本発明者はこの課題を解決すべく鋭意研究し、試行錯誤を重ねた結果、従来のような単なるスナップフィット方式ではなく、係合部の少なくとも一部を軟化または溶融させて、より強固な係合部を形成することを新たに着想した。この着想を発展させることにより、以降に述べる本発明を完成するに至った。
【０００９】
《内装部材》
（１）本発明の内装部材は、車室内に装着される基体と、該基体よりも車室内側に配置されると共に該基体に設けられた第一係合部に係合する第二係合部を有する係合体と、からなる内装部材であって、前記第一係合部と前記第二係合部の少なくとも一方は熱可塑性樹脂からなり、該熱可塑性樹脂からなる該第一係合部と該第二係合部の一方または双方が少なくとも部分的に加熱され軟化または溶融した後に冷却固化されて係合した融合係合部となっていることを特徴とする。
【００１０】
（２）本発明の内装部材では、熱可塑性樹脂からなる係合部が加熱によって軟化または溶融して冷却固化した融合係合部となる。この融合係合部は、単なる機械的な嵌合状態または係合状態ではなく、熱可塑性樹脂の塑性変形や溶着等によって形成された複雑な係合状態または接合状態となっており、第一係合部と第二係合部を強固に結合する。その結果、車室内のインパネ等に配設される内装部材（空調用レジスタ、計器類等）を構成する基体とその基体に組合わされて係合される係合体は、融合係合部によって確実に連結され、インパネ等へ非常に強い衝撃（いわゆるインパネ衝撃等）が加わった場合でも、分離、遊離、飛散さらには破損等することがない。
【図面の簡単な説明】
【００１１】
【図１】本発明の一実施例である空調用のレジスタの全体を示す斜視図である。
【図２】その上方内側を示す部分斜視図である。
【図３】その下方内側を示す部分斜視図である。
【発明を実施するための形態】
【００１２】
本明細書で説明する内容は、上述した本発明の構成要素に、本明細書中から任意に選択した一つまたは二つ以上の構成要素を付加し得る。いずれの実施形態が最良であるか否かは、対象、要求性能等によって異なる。
【００１３】
《内装部材》
本発明の内装部材は、基体または係合体からなるが、それらの種類や形態を問わない。一例を挙げると、基体は、インストルメントパネルに嵌装されるインストルメントクラスタの筐体または枠体であり、係合体は、その筐体または該枠体に嵌着されるガーニッシュ（装飾部材）である。より具体的にいうと、例えば、基体は空調用レジスタのベゼル（筐体または枠体）であり、係合体はそのベゼルの外周縁を装飾し車室内の意匠性を高めるメッキモール（ガーニッシュ）である。なお、本明細書でいうインストルメントパネルには、センターコンソールとその前後方向の接続部も含める。
【００１４】
《係合部》
本発明に係る係合部は、従来のような単なるスナップフィット型ではなく、係合部の少なくとも一部が溶融・軟化し、さらには塑性変形等して、冷却固化された融合係合部からなる。もっとも、その加熱によって溶融・軟化される前の第一係合部と第二係合部は、係合する凹部と凸部の一方をそれぞれ有するようなスナップフィット型であると好ましい。これにより、第一係合部と第二係合部の係合をより確実にする融合係合部の形成が容易となる。
【００１５】
《融合係合部》
融合係合部は、基体と係合体が強固に結合される限り、その形態を問わない。従って、第一係合部と第二係合部の軟化、溶融、さらには塑性変形の程度は、強固な結合が達成される限り、大きくても小さくてもよい。例えば、第一係合部と第二係合部の表層間における極僅かな接触領域近傍で、融合係合部が形成されるだけでもよい。
【００１６】
ここで加熱される第一係合部と第二係合部の少なくとも一方は、加熱によって軟化または溶融する熱可塑性樹脂からなる。但し、通常は、係合部のみならず、基体または係合体の全体が熱可塑性樹脂からなる。係合部の加熱方法は問わないが、例えば、超音波振動やレーザー照射により局所的な加熱が可能となる。
【００１７】
融合係合部は、基体と係合体を強固に係合するものであれば足り、必ずしも両者を接合または接着する必要はない。例えば、係合体がメッキモールである場合、通常、第二係合部の表面もメッキされた状態となっている。ここで基体側の第一係合部が加熱される場合を考えると、軟化または溶融した第一係合部は、第二係合部のメッキ表面に対して剥離し、両者が溶着状態または接着状態とはならない。しかし、このような場合でも、第一係合部と第二係合部は、融合係合部により確実に係合した状態となり、容易に分離等することはない。
【００１８】
一方、第一係合部および第二係合部の各表面が共にメッキ面のような剥離面でない場合、第一係合部と第二係合部の少なくとも一方を加熱すると、その加熱部が軟化または溶融して第一係合部と第二係合部は溶着状態または接着状態となった溶着係合部となり得る。この溶着係合部により、第一係合部と第二係合部は、化学的または一体的に係合または接合した状態となり、より一層分離等し難くなる。
【実施例】
【００１９】
本発明の内装部材に係る一実施例として、自動車の車室内にあるセンターコンソールの上方向で、かつインパネの中央に配置される空調用のレジスタＲを取り上げて、本発明をより具体的に説明する。このレジスタＲの吹出口部分を示す全体斜視図を図１に示した。また、レジスタＲの上方内側の一部を拡大した斜視図を図２に、レジスタＲの下方内側の一部を拡大した斜視図を図３にそれぞれ示した。
【００２０】
レジスタＲは、ベゼル１（基体、枠体）、メッキモール２（係合体、ガーニッシュ）およびダクト３を有する。ブロワーで生じた送風は、エバポレータやヒータコアを通り、ダンパ（図略）で風量調整された後、ダクト３により風向調整するバレル４へ誘導される。ベゼル１は、そのダクト３の吹出口側に設けられ、インパネ（図略）へ嵌装される。メッキモール２（係合体、ガーニッシュ）は、ベゼル１の車室内側に配設され、車室内の意匠性を向上させる。なお、これらはいずれもＡＢＳ樹脂（熱可塑性樹脂）からなる。
【００２１】
ベゼル１は略方形状の係合部１１、１２（第一係合部）を有する。係合部１１は、レジスタＲの上側で、上方向へ突出した突起１１１、１１２と奥方向（インパネの内側方向）へ延在する係合環１１３からなる。係合部１２は、レジスタＲの下側で、奥方向へ延在する係合環１２３からなる。
【００２２】
メッキモール２は奥方向へ突出した略台形状の係合部２１（第二係合部）を有する。係合部２１は、左右の側面に開口したコの字状の溝２１１、２１２を有する。これらの溝２１１、２１２内に、対向配置された突起１１１、１１２の内端側が配置される。ダクト３は、レジスタＲの上側で上方向へ突出した略方形状の係合突起３１（第二係合部）と、レジスタＲの下側で下方向へ突出した略方形状の係合突起３２（第二係合部）とを有する。係合突起３１はベゼル１の係合環１１３に嵌合し、係合突起３２はベゼル１の係合環１２３に嵌合する。
【００２３】
ベゼル１の係合環１１３、１２３へダクト３の係合突起３１、３２をそれぞれ嵌挿して両者を係合されると共に、メッキモール２の溝２１１、２１２へベゼル１の突起１１１、１１２を嵌挿して両者を係合させる。こうしてレジスタＲの仮組みがなされる。
【００２４】
仮組み状態のレジスタＲは、ベゼル１、メッキモール２およびダクト３が単に係合しているに過ぎない。この状態のレジスタＲへ強い衝撃を加えると、各構成部材は容易に分離し得る。
【００２５】
そこで本実施例では、ベゼル１の突起１１１、１１２とメッキモール２の溝２１１、２１２とが接触する係合領域Ｈ１、およびベゼル１の係合環１１３、１２３とダクト３の係合突起３１、３２とが接触する係合領域Ｈ２、Ｈ３へ超音波振動を印加する。これにより係合領域Ｈ１〜Ｈ３の近傍は摩擦熱により加熱され、その近傍で熱可塑性樹脂の軟化または溶融が生じる。これにより、例えば、ベゼル１側の突起１１１、１１２は軟化または溶融して、メッキモール２側のコの字状の溝２１１、２１２へ隙間なく密着した状態となる。また、ベゼル１側の係合環１１３および係合環１２３とダクト３側の係合突起３１および係合突起３２の間では、双方の表層部が溶融混合した状態となる。この超音波振動の印加を停止すると、各係合領域Ｈ１〜Ｈ３において軟化または溶融していた熱可塑性樹脂は冷却固化し、それぞれ、融合係合部Ｂ１、Ｂ２、Ｂ３となる。
【００２６】
ここで融合係合部Ｂ１は、メッキモール２の係合部２１の表面がメッキされていたため、ベゼル１側の係合部とメッキモール２側の係合部が溶着状態ではなく、機械的に密着して係合した状態となっている。一方、融合係合部Ｂ２、Ｂ３は、接触するベゼル１側の係合部（熱可塑性樹脂）とダクト３側の係合部（熱可塑性樹脂）とが溶着接合された溶着係合部となっている。
【００２７】
これら融合係合部Ｂ１、Ｂ２、Ｂ３により、レジスタＲを構成するベゼル１、メッキモール２およびダクト３は強固に結合または接合された状態となり、優れた耐衝撃性を発揮する。
【符号の説明】
【００２８】
１      ベゼル（基体、枠体）
２      メッキモール（係合体、ガーニッシュ）
１１    係合部（第一係合部）
２１    係合部（第二係合部）
Ｒ      レジスタ
【図１】
2014227091.tif 000003
【図２】
2014227091.tif 000004
【図３】
2014227091.tif 000005